(57)【特許請求の範囲】
【請求項１】
被写体光路用の開口部を有していて各々の間に撮影レンズ側の羽根室と撮像装置側の羽根室とを構成している３枚の板部材と、複数のアームの一方の面から頭部を突き出した複数の連結軸にそれらのアームの他方の面側において少なくとも１枚の羽根をかしめて構成されている先羽根及び後羽根と、を備えていて、前記二つの羽根室の一方には、前記連結軸の頭部が撮影レンズ側を向くようにして前記後羽根を配置し、前記二つの羽根室の他方には、前記先羽根を配置していることを特徴とする電子スチルカメラ用フォーカルプレンシャッタ。
【請求項２】
前記後羽根が、撮像装置側の羽根室に配置されていることを特徴とする請求項１に記載の電子スチルカメラ用フォーカルプレンシャッタ。
【請求項３】
前記先羽根は、前記連結軸の頭部が撮像装置側を向くようにして配置されていることを特徴とする請求項１又は２に記載の電子スチルカメラ用フォーカルプレンシャッタ。
【請求項４】
前記先羽根は、前記連結軸の頭部が撮影レンズ側を向くようにして配置されていることを特徴とする請求項１又は２に記載の電子スチルカメラ用フォーカルプレンシャッタ。
【発明の詳細な説明】
【０００１】
【発明の属する技術分野】
本発明は、先羽根と後羽根とを有している電子スチルカメラ用フォーカルプレンシャッタに関する。
【０００２】
【従来の技術】
カメラ用フォーカルプレンシャッタの中には、シャッタ地板，中間板，補助地板と称されている３枚の板部材の間に二つの羽根室を形成し、それらの羽根室内に、先羽根（群），後羽根（群）と称されている二つのシャッタ羽根を個別に配置したものが知られている。そして、この種のフォーカルプレンシャッタは、これまでは、主にフィルム使用のカメラに採用されてきたが、最近ではＣＣＤ装置のような撮像装置を備えた電子スチルカメラにも採用されている。本発明は、このように二つのシャッタ羽根を有したフォーカルプレンシャッタのうち、電子スチルカメラ用として構成されたフォーカルプレンシャッタに関するものである。
【０００３】
ところで、二つのシャッタ羽根を有するフォーカルプレンシャッタにおいては、各シャッタ羽根は、一端をシャッタ地板に枢着された二つのアームに対し、１枚以上の羽根を枢支することによって、平行四辺形のリンク機構を応用した構成としているのが普通である。そして、各々のアームに対する各羽根の枢支構成は同じであり、アームに形成された孔と、羽根に形成された孔とを重ね、リベット部品である連結軸の先端をそれらの孔にアーム側から挿入し、その先端を、かしめ加工によって羽根に固着している。そのため、羽根と一体化された連結軸とアームとは、相互に回転可能状態になっているが、１枚の羽根は、二つのアームに枢支されているため、アームが作動されたときにだけ、枢支部における相互の回転が行われるようになっている。
【０００４】
また、上記のかしめ部は、羽根の形状を工夫することによって、羽根の摺動面（アームに対向する面とは反対側の面）から突き出ないようにされているが、連結軸の頭部は、アームから突き出た状態になっている。そして、二つのシャッタ羽根は、各羽根室内において各々の羽根の摺動面を中間板に向けて配置されるため、一方のシャッタ羽根のアームは羽根よりもシャッタ地板側に配置され、他方のシャッタ羽根のアームは羽根よりも補助地板側に配置されている。そこで、そのような従来の具体的な構成例を、図４及び図５を用いて説明する。
【０００５】
図４の断面図は、従来のシャッタ構成を、後述の実施例を示した図２と対比できるようにして示したものである。そして、この従来例と実施例との相違点は、構成部材の配置関係にあるため、図４に示した構成部材には、図２の構成部材と同じ符号を用いている。尚、この従来例を被写体側（即ち、撮影レンズ側）から見た平面図は、実施例を説明するための図１と同じになるので、必要があれば図１についての説明が援用される。
【０００６】
図４において、シャッタ地板１は、長方形をした被写体光路用の開口部１ａを有している。また、シャッタ地板１には、所定の間隔を空けて、中間板２と補助地板３が順に取り付けられており、それらにも、被写体光路用の開口部２ａ，３ａが形成されている。そして、シャッタ地板１と中間板２との間が先羽根の羽根室であり、中間板２と補助地板３との間が後羽根の羽根室である。また、ＣＣＤ取付板４には、ＣＣＤ装置５が取り付けられている。従って、撮像面は、ＣＣＤ装置５の左側の面又はそれに近い面となる。
【０００７】
先羽根は、シャッタ地板１に枢着された二つのアーム８，９と、それらの長さ方向に順に枢支された３枚の羽根１０，１１，１２とで構成され、最先端に枢支されている羽根１２がスリット形成羽根である。また、この従来例の先羽根は、アーム８，９が、最もシャッタ地板１側に配置されており、中間板２に向けて羽根１２，羽根１１，羽根１０の順に配置されている。他方、後羽根は、二つのアーム１４，１５と、それらの長さ方向に順に枢支された３枚の羽根１６，１７，１８で構成されているが、先羽根の場合と同様に、アーム１４，１５の最先端に枢支されている羽根１８がスリット形成羽根である。そして、この後羽根は、アーム１４，１５が、最も補助地板３側に配置されており、中間板２に向けて羽根１８，羽根１７，羽根１６の順に配置されている。
【０００８】
また、上記したように、先羽根も後羽根も、各アームに対する各羽根の枢支構成は同じである。そこで、図５を用いて、その枢支構成を、アーム１５と羽根１８の場合で説明する。予めアーム１５と羽根１８には円形の孔を形成しておく。次に、それらの孔を重ねておいて、連結軸１３の先端をアーム１５側から挿入し、その先端を羽根１８にかしめている。従って、連結軸１３の頭部は、先羽根の場合には、全てアームからシャッタ地板１側に突き出ていて、後羽根の場合は、全てアームから補助地板３側に突き出ているが、かしめ部は、図５から分かるように、羽根の形状を工夫することによって摺動面から突き出ないようになっている。そして、各アームは連結軸と一体化されておらず、羽根と一体の連結軸に対し相互に回転可能となっている。図４は、このような構成の先羽根と後羽根が、羽根１２と羽根１８とによってスリットを形成し、上方から下方へ露光作動を行なっている途中の状態を示したものである。
【０００９】
【発明が解決しようとする課題】
ところで、このような構成のシャッタ羽根は、特に露光作動中に部材間の摺動によって磨耗粉を発生させることが知られている。そして、その磨耗粉は、アームと羽根の連結に用いられている上記の連結軸に起因する場合が多い。即ち、連結軸は、通常、快削鋼の棒材をレースで切削して製作されており、上記したように、羽根に対してかしめられる。そのため、部品段階で表面処理加工が施されているものの、その表面処理は反射防止が主な目的であって、特別に表面が硬くなるように加工されているわけではない。
【００１０】
そこで、この連結軸に起因した磨耗粉が、露光作動中にどのようにして発生し、それが、電子スチルカメラの場合にはどのような悪影響を及ぼすかを、図４，図５を用いて説明する。上記したように、図４は露光作動の途中を示したものであるが、後羽根は、シャッタのセット状態においては重畳されて開口部３ａの上方位置に格納されている。そのセット状態から後羽根が露光作動を開始すると、後羽根は単純に下降するだけではなく、図の左右方向へも若干振れながら下降していく。そのため、各々の連結軸の頭部が補助地板３の表面に摺接して磨耗粉を発生させる。また、アーム１４，１５との各々の連結部では回転運動が行われるので、それによっても磨耗粉が発生する。
【００１１】
このことから、図４から理解できるように、後羽根の場合には、そのような磨耗粉は、中間板２側よりも補助地板３側に発生する。また、先羽根にもこのような磨耗粉は発生するが、その場合には、中間板２側よりもシャッタ地板１側に発生する。ところで、このようにして発生する磨耗粉は数十ミクロンオーダーの大きさであるため、図４に示したような露光作動の途中においては、主に連結軸１３の頭部側周辺に付着していて、飛散することは少ない。しかし、露光作動停止時には、ストッパに当接して大きな衝撃を受けるので、それらの磨耗粉を飛散させることになる。その局部的な飛散状態を、図５においては矢印で示してある。
【００１２】
ところが、先羽根の場合は、このとき、３枚の羽根１０〜１２が重畳されて下方位置に格納状態となっているため、図４において上方へ飛散する磨耗粉は抑制される。しかし、後羽根の場合はそのようなわけにはいかない。後羽根の３枚の羽根１６〜１８は、露光作動停止時には展開されて開口部３ａを覆った状態になる。しかも、連結軸１３の頭部は各羽根１６〜１８よりも補助地板３側にある。そのため、停止時の衝撃で飛散した磨耗粉は、開口部３ａを通ってＣＣＤ装置５の前面に付着してしまうことがある。
【００１３】
ところで、このようにして発生する磨耗粉は、上記したように極めて微細なものである。また、撮影ごとに発生する量は決して多くはない。そのため、そのようにして磨耗粉がＣＣＤ装置５の前面に付着しても、撮影回数が余り多くない段階では全く問題とはならない。しかし、撮影が重ねられ、その都度発生した磨耗粉がＣＣＤ装置の前面に蓄積されていくと、鮮明な画像がやがて得られなくなってしまう。このことは、フォーカルプレンシャッタが高級カメラに用いられることからも極めて問題である。
【００１４】
本発明は、このような問題点を解決するためになされたものであり、その目的とするところは、後羽根を、従来とは異なる配置構成にすることによって、シャッタ羽根の作動によって生じる磨耗粉が撮像装置に付着するのを抑制するようにした電子スチルカメラ用フォーカルプレンシャッタを提供することである。
【００１５】
【課題を解決するための手段】
上記の目的を達成するために、本発明の電子スチルカメラ用フォーカルプレンシャッタは、被写体光路用の開口部を有していて各々の間に撮影レンズ側の羽根室と撮像装置側の羽根室とを構成している３枚の板部材と、複数のアームの一方の面から頭部を突き出した複数の連結軸にそれらのアームの他方の面側において少なくとも１枚の羽根をかしめて構成されている先羽根及び後羽根と、を備えていて、前記二つの羽根室の一方には、前記連結軸の頭部が撮影レンズ側を向くようにして前記後羽根を配置し、前記二つの羽根室の他方には、前記先羽根を配置しているようにする。
【００１６】
その場合、前記後羽根が、撮像装置側の羽根室に配置されていると、顕著な効果が得られる。また、前記先羽根は、前記連結軸の頭部が撮像装置側を向くようにして配置されていても、撮影レンズ側を向くようにして配置されていても差し支えないが、どちらかといえば後者の場合の方が好ましい。
【００１７】
【発明の実施の形態】
本発明の実施の形態を、図示した実施例によって説明する。尚、図１は被写体側（撮影レンズ側）から視た実施例の平面図であって、シャッタ羽根のセット状態を示したものである。また、図２は図１の中央縦断面図であって、シャッタ羽根の露光作動中の状態を示したものである。更に、図３は図１と同様にして視たシャッタ羽根の露光作動終了直後の状態を示す平面図である。
【００１８】
先ず、本実施例の構成を説明する。図１において、シャッタ地板１は、その略中央部に長方形を横長にした開口部１ａを形成している。また、図２に示すように、シャッタ地板１の背面側には、所定の間隔を空けて、中間板２と補助地板３が順に取り付けられており、シャッタ地板１と中間板２との間に先羽根の羽根室を形成し、中間板２と補助地板３との間に後羽根の羽根室を形成している。そして、中間板２と補助地板３にも、開口部１ａと類似の開口部２ａ，３ａが形成されている。
【００１９】
また、図２に示されているＣＣＤ取付板４は、通常はカメラ本体側の部材として構成されることが多い。しかし、シャッタユニット側の部材として、補助地板３に取り付けた構成にしても差し支えない。そして、撮像装置としてのＣＣＤ装置５は、ＣＣＤ取付板４に取り付けられている。尚、ＣＣＤ装置５の撮影レンズ側にはローパスフィルタや透明のカバー板の取り付けられることが多いので、ＣＣＤ装置５の撮影レンズ側の面は撮像面とは限らない。また、図２の断面図においては、ＣＣＤ装置５は外形だけを示しており、内部の具体的な構成は省略されている。
【００２０】
図１において、開口部１ａの左側には、円弧状の二つの長孔１ｂ，１ｃが形成されており、それらの下方端部には、平面形状が略Ｃ字状をしたブチルゴム製の周知の緩衝部材６，７が取り付けられている。また、シャッタ地板１に立設された軸１ｄ，１ｅは金属製であって、シャッタ地板１に形成された孔に圧入され且つかしめられており、撮影レンズ側だけではなく、図１において破線で示したように、羽根室側にも細い軸部を有している。更に、シャッタ地板１の羽根室側には、軸１ｆ，１ｇが立設されている。
【００２１】
また、周知であるため図示していないが、シャッタ地板１の撮影レンズ側において、先羽根用駆動部材と後羽根用駆動部材とが、軸１ｄ，１ｅに回転可能に取り付けられている。そして、それらの駆動部材は、露光作動時には図示していない先羽根用駆動ばね，後羽根用駆動ばねの付勢力によって時計方向へ回転させられ、セット時には図示していないセット部材によってそれらの駆動ばねの付勢力に抗して反時計方向へ回転させられるようになっている。また、先羽根用駆動部材と後羽根用駆動部材は夫々駆動ピンを備えているが、それらの駆動ピンは長孔１ｂ，１ｃを貫通して羽根室側に突き出ている。
【００２２】
次に、羽根室内に配置されている先羽根と後羽根の構成について説明する。先ず、先羽根は、シャッタ地板１と中間板２の間に配置されていて、その配置構成は上記した従来例の場合と全く同じである。即ち、二つのアーム８，９と、それらの長さ方向に順に枢支された３枚の羽根１０，１１，１２とで構成され、最先端に枢支されている羽根１２がスリット形成羽根となっている。そして、アーム８は、軸１ｄに回転可能に嵌合していて、円形の孔８ａには、上記した図示していない先羽根用駆動部材の駆動ピンが嵌合している。また、他方のアーム９は、軸１ｆに対して回転可能に嵌合している。そして、この先羽根は、アーム８，９が、最もシャッタ地板１側に配置されており、中間板２に向けて羽根１２，羽根１１，羽根１０の順に配置されている。
【００２３】
アーム８，９に対する各羽根１０，１１，１２の枢支構成は全て同じであって、図５を用いて既に説明した構成と全く同じである。即ち、スリット形成羽根１２とアーム８との場合でいえば、アーム８と羽根１２に形成された孔を重ねておき、リベット部品である連結軸１３の先端をアーム８側から挿入し、その先端を、かしめ加工によって羽根１２に固着している。しかし、アーム８は連結軸１３に対し一体化されておらず、相互に回転可能となっている。そして、かしめ部は、羽根の摺動面（羽根１１に摺接する面）から突き出ないようにされているが、連結軸１３の頭部は、アーム８からシャッタ地板１側に突き出た状態になっている。尚、先羽根には、６個の連結軸１３が用いられているが、図１及び図３においては、それらの２個にだけ符号を付けてある。また、このことは、後述の後羽根の場合も同様であり、同じ符号１３を１個にだけ付けてある。
【００２４】
他方、後羽根は、中間板２と補助地板３の間に配置されているが、上記した従来例とは異なる配置構成をしている。即ち、後羽根は、二つのアーム１４，１５と、それらの長さ方向に順に枢支された３枚の羽根１６，１７，１８で構成されているが、先羽根の場合と同様に、アーム１４，１５の最先端に枢支された羽根１８がスリット形成羽根である。アーム１４は、軸１ｅに対して回転可能に嵌合されており、円形の孔１４ａには、上記の図示していない後羽根用駆動部材の駆動ピンが嵌合している。また、他方のアーム１５は、軸１ｇに対して回転可能に嵌合している。そして、この後羽根は、アーム１４，１５が、最も中間板２側に配置されており、補助地板３に向けて羽根１８，羽根１７，羽根１６の順に配置されている。また、アーム１４，１５に対する各羽根１６，１７，１８の枢支構成は上記した先羽根の場合と全く同じであって、各枢支部における連結軸１３の頭部は、アーム１４，１５から中間板２側に突き出ている。
【００２５】
次に、本実施例の作動を説明する。図１は、セット状態を示している。従って、図示していない先羽根用駆動部材と後羽根用駆動部材は、夫々の駆動ばねの付勢力に抗してセット位置に保持されている。そのため、それらの駆動ピンに連結している先羽根と後羽根は、図１の位置を維持されており、先羽根の３枚の羽根１０，１１，１２は展開されて開口部３ａを覆っており、後羽根の３枚の羽根１６，１７，１８は重畳されて開口部１ａの上方位置に格納されている。この状態においてカメラのレリーズボタンが押されると、最初に先羽根用駆動部材の保持力が解除され、所定時間後に後羽根用駆動部材の保持力が解除される。それによって、先羽根の３枚の羽根１０，１１，１２は重畳されつつ下方へ作動し、後羽根の３枚の羽根１６，１７，１８は展開されつつ下方へ作動する。
【００２６】
図２は、上記のようにして開始された露光作動の途中の状態を示したものである。この作動中において、先羽根は、各連結軸１３の頭部がシャッタ地板２に摺接して磨耗粉を発生させ、且つ各連結軸１３とアーム８，９との相互の回転によっても磨耗粉を発生させるが、それらの殆どは各連結軸１３の頭部近傍に付着したままとなっている。他方、後羽根の方は、各連結軸１３の頭部が中間板２に摺接して磨耗粉を発生させ、且つ各連結軸１３とアーム１４，１５との相互の回転によっても磨耗粉を発生させるが、それらの殆どは各連結軸１３の頭部近傍に付着したまま作動を続ける。
【００２７】
このようにして、先羽根と後羽根による露光作動が続けられるが、先に作動を開始した先羽根は、スリット形成羽根１２のスリット形成縁（上辺）が開口部１ａから下方へ退いた段階で、図示していない先羽根用駆動部材の駆動ピンが緩衝部材６に当接することによって停止させられる。続いて後羽根も、スリット形成羽根１８のスリット形成縁（下辺）が開口部３ａを覆いきった段階で、図示していない後羽根用駆動部材の駆動ピンが緩衝部材７に当接することによって停止させられる。
【００２８】
ところで、先羽根用駆動部材と後羽根用駆動部材の各駆動ピンが緩衝部材６，７に当接したとき、先羽根及び後羽根は大きな衝撃を受け、作動中に各連結ピン１３の周りに付着していた磨耗分を飛散させようとする。ところが、先羽根は、３枚の羽根１０〜１２が重畳されて下方位置に格納状態となっているため、従来例の場合と同様に、上方へ飛散する磨耗粉の量は極端に抑制される。
また、上方へ飛散する磨耗粉が若干あって、その中にＣＣＤ装置５へ向かおうとするものがあったとしても、通常の露光時間での撮影であれば、遅れて作動を開始した後羽根も、そのときには既に露光作動を終了して、その進路を閉じているので、問題とはならない。他方、後羽根の場合は、衝撃を受けたときには、既に３枚の羽根１６〜１８が開口部３ａを覆っているため、連結軸１３の頭部側に付着した磨耗粉が飛散しても、ＣＣＤ装置５に飛来することはあり得ない。このようにして露光作動を終了した直後の状態が、図３に示された状態である。尚、図１のセット状態への復帰作動は、周知のように、図示していないセット部材によって、先羽根用駆動部材と後羽根用駆動部材が、夫々の駆動ばねの付勢力に抗して回転されることにより行われるが、具体的な説明は省略する。
【００２９】
尚、上記の実施例においては、先羽根と後羽根が、撮影時においては、上方から下方へ作動するように構成されているが、下方から上方へ作動するように構成されていても同等の作用効果が得られる。従って、そのように作動させるようにしたものは本発明に含まれる。また、本実施例においては、中間板２と補助地板３の間に後羽根が配置され、シャッタ地板１と中間板２の間に先羽根が配置されているが、シャッタ地板１と中間板２の間に後羽根を配置し、中間板２と補助地板３の間に先羽根を配置したものも本発明に含まれる。
【００３０】
【発明の効果】
以上のように、本発明は、先羽根と後羽根を備えた電子スチルカメラ用フォーカルプレンシャッタにおいて、後羽根を、そのアームと羽根との連結軸を撮影レンズ側（被写体側）にして羽根室内に配置するので、露光作動停止時に、連結軸の頭部近傍に付着していた磨耗粉が飛散しても、撮像装置に飛来して付着することがないという優れた効果を有するものである。
【図面の簡単な説明】
【図１】被写体側から視た実施例の平面図であって、シャッタ羽根のセット状態を示したものである。
【図２】図１の中央縦断面図であって、シャッタ羽根の露光作動中の状態を示したものである。
【図３】図１と同様にして視た実施例の平面図であって、シャッタ羽根の露光作動終了直後の状態を示したものである。
【図４】図２と同様にして示した従来例の断面図である。
【図５】磨耗粉の飛散状態を示した説明図である。
【符号の説明】
１                            シャッタ地板
１ａ，２ａ，３ａ              開口部
１ｂ，１ｃ                    長孔
１ｄ，１ｅ，１ｆ，１ｇ        軸
２                            中間板
３                            補助地板
４                            ＣＣＤ取付板
５                            ＣＣＤ装置
６，７                        緩衝部材
８，９，１４，１５            アーム
８ａ，１４ａ                  孔
１０，１１，１２，１６，１７，１８  羽根
１３                          連結軸
【図１】
0003914040.tif 000002
【図２】
0003914040.tif 000003
【図３】
0003914040.tif 000004
【図４】
0003914040.tif 000005
【図５】
0003914040.tif 000006